(57)【特許請求の範囲】
【請求項１】
動物捕獲用箱わなであって、
動物捕獲用の閉空間を形成する複数の面部を有し、
少なくとも１つの前記複数の面部の端部には曲げ部が形成され、
前記曲げ部が形成された前記面部と他の１つの前記面部とが、前記曲げ部を用いて互いに接続され、
前記曲げ部を用いて接続される２つの前記面部は、前記箱わなの組み立て状態において、前記曲げ部を含む、それぞれの面部を構成する部材同士が互いに幾何学的に拘束されることによって接続され、
互いに幾何学的に拘束される前記２つの面部は、それぞれの面部を構成する部材同士が少なくとも３つの接点で接し、それらの接点における接触反力によって、それら面部の辺に平行な軸周りの、それら２つの面部の少なくとも一方向への相対回転、および、その辺に垂直な方向の、それら２つの面部の２自由度の相対移動が制限される、動物捕獲用箱わな。
【請求項２】
動物捕獲用箱わなであって、
動物捕獲用の閉空間を形成する複数の面部を有し、
互いに接続される２つの面部の少なくとも一方の面部の端部に曲げ部が形成され、
前記２つの面部は、前記箱わなの組み立て状態において、前記曲げ部を含む、それぞれの面部を構成する部材同士が互いに幾何学的に拘束されることによって接続され、
互いに幾何学的に拘束される前記２つの面部は、それぞれの面部を構成する部材同士が少なくとも３つの接点で接し、それらの接点における接触反力によって、それら面部の辺に平行な軸周りの、それら２つの面部の少なくとも一方向への相対回転、および、その辺に垂直な方向の、それら２つの面部の２自由度の相対移動が制限される、動物捕獲用箱わな。
【請求項３】
前記曲げ部が形成された前記面部の全部または一部が格子状の金属棒からなり、
前記曲げ部が前記金属棒からなる、
請求項１または２に記載の動物捕獲用箱わな。
【請求項４】
互いに幾何学的に拘束される前記２つの面部は、幾何学的拘束と、ボルトナットによる締結が併用されて接続される、
請求項１乃至３のいずれかに記載の動物捕獲用箱わな。
【発明の詳細な説明】
【技術分野】
【０００１】  本発明は動物捕獲用箱わなに関する。
【背景技術】
【０００２】  従来、箱わなの輸送や保管を容易にするために箱わなを組み立ておよび分解可能とすることが提案されている（例えば、実用新案文献１、２参照）。図２７は金属棒によって構成された組み立ておよび分解可能な箱わな１を示す図である。図２７では金属棒の太さを無視しており、右側面部３の一部を切り欠いて図示してある。箱わな１は、６つの面部である上面部２、右側面部３、左側面部４、底面部５、奥面部６、扉面部７（以下、これら６つの面部を「各面部」と呼ぶ）とからなる。各面部は互いに脱着可能に構成される。箱わな１は、輸送時や保管時には各面部を分離することでコンパクトな形態とすることができ、使用時には各面部を互いに接続することで動物を捕獲する形態とすることができる。【０００３】  箱わな１の各面部を互いに接続するための構成として、実用新案文献１には線状コイルを用いる構成が開示されており、実用新案文献２には２０本のワイヤークリップを用いる構成が開示されている。
【先行技術文献】
【実用新案文献】
【０００４】
【実用新案文献１】
実用新案登録第３１４７７０１号
【実用新案文献２】
実用新案登録第３１７０８５５号
【発明の概要】
【発明が解決しようとする課題】
【０００５】  しかしながら、線状コイルを用いる構成によると、各面部を接続または分離するために線状コイルを何度も回転させる必要がある。また、ワイヤークリップを用いる構成によると、各面部を接続または分離するためにワイヤークリップを多数（例えば２０本）取り付けまたは取り外しする必要がある。いずれの場合も、各面部を接続または分離するために必要とされる労力が大きい。しかも、箱わなの組み立ておよび分解は草木が生い茂った山野で行われることから、線状コイルやワイヤークリップといった接続用の特殊な専用部品を紛失する可能性が高い。更に、捕獲された猪等の動物の突進力は非常に大きく、ときに箱わなを変形させるほどである。このため、各面部を互いに接続するための構造には十分な強度が必要とされ、接続用の専用部品の長大化や部品数の増加を招く。そこで本発明の目的は、少ない労力で組み立ておよび分解することができ、部品を紛失する可能性が低く、十分な強度を有する、箱わなの各面部の接続方法およびその接続方法を用いた動物捕獲用箱わなを提供することである。
【課題を解決するための手段】
【０００６】  本発明の第１の課題解決手段は、動物捕獲用箱わなであって、動物捕獲用の閉空間を形成する複数の面部を有し、少なくとも１つの前記複数の面部の端部には曲げ部が形成され、前記曲げ部が形成された前記面部と他の１つの前記面部とが、前記曲げ部を用いて互いに接続され、前記曲げ部を用いて接続される２つの前記面部は、前記箱わなの組み立て状態において、前記曲げ部を含む、それぞれの面部を構成する部材同士が互いに幾何学的に拘束されることによって接続され、互いに幾何学的に拘束される前記２つの面部は、それぞれの面部を構成する部材同士が少なくとも３つの接点で接し、それらの接点における接触反力によって、それら面部の辺に平行な軸周りの、それら２つの面部の少なくとも一方向への相対回転、および、その辺に垂直な方向の、それら２つの面部の２自由度の相対移動が制限される、動物捕獲用箱わなである。【０００７】  本発明の第２の課題解決手段は、動物捕獲用箱わなであって、動物捕獲用の閉空間を形成する複数の面部を有し、互いに接続される２つの面部の少なくとも一方の面部の端部に曲げ部が形成され、前記２つの面部は、前記箱わなの組み立て状態において、前記曲げ部を含む、それぞれの面部を構成する部材同士が互いに幾何学的に拘束されることによって接続され、互いに幾何学的に拘束される前記２つの面部は、それぞれの面部を構成する部材同士が少なくとも３つの接点で接し、それらの接点における接触反力によって、それら面部の辺に平行な軸周りの、それら２つの面部の少なくとも一方向への相対回転、および、その辺に垂直な方向の、それら２つの面部の２自由度の相対移動が制限される、動物捕獲用箱わなである。【０００８】  本発明の第３の課題解決手段は、第１または２の課題解決手段における前記曲げ部が形成された前記面部の全部または一部が格子状の金属棒からなり、前記曲げ部が前記金属棒からなる、動物捕獲用箱わなである。【０００９】  本発明の第４の課題解決手段は、第１乃至第３のいずれかの課題解決手段における互いに幾何学的に拘束される前記２つの面部が、幾何学的拘束と、ボルトナットによる締結が併用されて接続される、動物捕獲用箱わなである。
【発明の効果】
【００１０】  本発明によれば、少ない労力で組み立ておよび分解することができ、部品を紛失する可能性が低く、十分な強度を有する、箱わなの各面部の接続方法およびその接続方法を用いた動物捕獲用箱わなを得ることができる。
【図面の簡単な説明】
【００１１】
【図１】箱わなの分解状態を示す図である。
【図２】奥面部を示す図である。
【図３】奥面部を示す図である。
【図４】扉面部を示す図である。
【図５】扉面部を示す図である。
【図６】上面右側部と右側面部の接続方法を説明する図である。
【図７】上面右側部と右側面部の接続方法を説明する図である。
【図８】上面右側部と上面左側部の接続方法を説明する図である。
【図９】上面右側部と上面左側部の接続方法を説明する図である。
【図１０】右側面部、左側面部、底面部、上面右側部および上面左側部の組み立て手順を説明する図である。
【図１１】右側面部、左側面部、底面部、上面右側部および上面左側部の組み立て手順を説明する図である。
【図１２】奥面部および扉面部の接続方法と、扉面部の構造を示す図である。
【図１３】２つの面部の接続部の他の実施形態を示す図である。
【図１４】２つの面部の接続部の他の実施形態を示す図である。
【図１５】２つの面部の接続部の他の実施形態を示す図である。
【図１６】２つの面部の接続部の他の実施形態を示す図である。
【図１７】２つの面部の接続部の他の実施形態を示す図である。
【図１８】２つの面部の接続部の他の実施形態を示す図である。
【図１９】２つの面部の接続部の他の実施形態を示す図である。
【図２０】２つの面部の接続部の他の実施形態を示す図である。
【図２１】２つの面部の接続部の他の実施形態を示す図である。
【図２２】２つの面部の接続部の他の実施形態を示す図である。
【図２３】２つの面部の接続部の他の実施形態を示す図である。
【図２４】２つの面部の接続部の他の実施形態を示す図である。
【図２５】２つの面部の接続部の他の実施形態を示す図である。
【図２６】２つの面部の椄続部の他の実施形態を示す図である。
【図２７】従来の箱わなを示す図である。
【発明を実施するための形態】
【００１２】  以下、本願発明の実施形態について図面に基づいて説明する。以下では、全ての図面を通じて同一または相当する要素には同じ符号を付して、重複する説明は省略する。以下の説明における「上」「下」「左」「右」「奥」「反時計回り」等の用語は、特に説明のない場合は単に各図面における位置関係を表すものであり、箱わなの実物を３次元空間に置いた場合の位置関係と必ずしも一致しない。
【００１３】  （箱わなの構成）
本実施形態における箱わな１の構成について説明する。箱わな１が、上面部２、右側面部３、左側面部４、底面部５、奥面部６、扉面部７から構成されている点と、それら各面部が互いに接続および分離できるように構成されている点は、本願発明の実施形態と図２７に示す従来技術とで共通している。扉面部７は動物が箱わな１に進入するための進入口と、進入した動物を箱わな１の閉空間内に閉じ込めるための扉（図示せず）を有する。上面部２、右側面部３、左側面部４、底面部５、奥面部６、扉面部７は動物捕獲用の閉空間を形成する面部である。閉空間を形成できさえすれば、面部の数は６つに限らない。本実施形態における箱わな１は、高さ（上面部２と底面部５の間の距離）や幅（右側面部３と左側面部４の間の距離）に比べて奥行（奥面部６と扉面部７の間の距離）が長い直方体形状である。
【００１４】  図１は箱わな１の分解状態における上面部２、右側面部３、左側面部４および底面部５を示す斜視図である。図１に示すように、上面部２、右側面部３、左側面部４および底面部５は、格子状の金属棒からなる金網と金網に取り付けられた板材からなる。図１では金属棒の太さと板材の厚さを無視している。上面部２は、上面右側部２０と上面左側部２１とからなる。
【００１５】  本願において、各面部の外側に向かう方向を「外側方向」と呼ぶ。例えば上面右側部２０の右端部において、図１の紙面右方向が外側方向である。また、箱わなの組み立て状態において上面右側部２０、上面左側部２１、右側面部３、左側面部４または底面部５のいずれかから、その接続相手に向かう方向を「接続相手方向」と呼ぶ。例えば、上面右側部２０の右端部において、図１の紙面下方向が接続相手方向である。上面右側部２０の右端部には外側方向（図１の右方向）に延在する金属棒（上面右側部２０の延在部）を、接続相手方向（図１の下方向）に直角に曲げた上面右側曲げ部２２が形成されている。上面右側部２０の左端部には上面右側板材２３が固定されている。上面右側部２０の奥面部６側と扉面部７側にはそれぞれ、上面右側奥側板材２４、上面右側扉側板材２５が固定されている。
【００１６】  上面左側部２１の左端部には上面左側部２１の外側方向（図１の左方向）に延在する金属棒（上面左側部２１の延在部）を、接続相手方向（図１の下方向）に直角に曲げた上面左側曲げ部２６が形成されている。上面左側部２１の右端部には上面左側板材２７が固定されている。上面左側部２１の奥面部６側と扉面部７側にはそれぞれ、上面左側奥側板材２８、上面左側扉側板材２９が固定されている。上面右側板材２３と上面左側板材２７にはそれぞれ、箱わなの組み立て状態において互いに重なり合う穴が設けられている。
【００１７】  右側面部３の上端部には右側面部３の外側方向（図１の上方向）に延在する金属棒（右側面部３の延在部）を、接続相手方向（図１の左方向）に直角に曲げた右側面上側曲げ部３１が形成されている。右側面部３の下端部には右側面部３の外側方向（図１の下方向）に延在する金属棒（右側面部３の延在部）を、接続相手方向（図１の左方向）に直角に曲げた右側面下側曲げ部３２が形成されている。右側面部３の奥面部６側と扉面部７側にはそれぞれ、右側面奥側板材３３、右側面扉側板材３４が固定されている。
【００１８】  左側面部４の上端部には左側面部４の外側方向（図１の上方向）に延在する金属棒（左側面部４の延在部）を、接続相手方向（図１の右方向）に直角に曲げた左側面上側曲げ部４１が形成されている。左側面部４の下端部には左側面部４の外側方向（図１の下方向）に延在する金属棒（左側面部４の延在部を、接続相手方向（図１の右方向）に直角に曲げた左側面下側曲げ部４２が形成されている。左側面部４の奥面部６側と扉面部７側にはそれぞれ、左側面奥側板材４３、左側面扉側板材４４が固定されている。
【００１９】  底面部５の左端部には底面部５の外側方向（図１の左方向）に延在する金属棒（底面部５の延在部）を、接続相手方向（図１の上方向）に直角に曲げた底面左側曲げ部５１が形成されている。底面部５の右端部には底面部５の外側方向（図１の右方向）に延在する金属棒（底面部５の延在部）を、接続相手方向（図１の上方向）に直角に曲げた底面右側曲げ部５２が形成されている。底面部５の奥面部６側と扉面部７側にはそれぞれ、底面奥側板材５３、底面扉側板材５４が固定されている。
【００２０】  図２は奥面部６を扉面部７側から見た斜視図である。図３は図２のＡ−Ａ断面の拡大図である。図２では金属棒の太さとアングル材の厚さを無視している。奥面部６は、「ロ」の字型に接続された奥面アングル部材６１からなる。アングル部材とは、断面がＬ字状の部材である。奥面アングル部材６１には金属棒（金属棒６５等）が固定されている。
【００２１】  図４は扉面部７を奥面部６側から見た図である。図５（ａ）は図４の矢視Ａの拡大図、図５（ｂ）は図４のＢ−Ｂ断面の拡大図、図５（ｃ）は図４のＣ−Ｃ断面の拡大図である。図４ではアングル材の厚さを無視している。扉面部７は、「ロ」の字型に接続された扉面アングル部材７１と、レール部７３とからなる。レール部７３は、上下方向に伸びる２本のアングル部材７２と、それらのアングル部材７２の上部を接続する補強部材７４からなる。扉面アングル部材７１とレール部７３は互いに溶接や、ボルトナット等の手段により接続されている。
【００２２】  図１乃至図５に示すように、奥面アングル部材６１、扉面アングル部材７１、上面右側奥側板材２４、上面左側奥側板材２８、右側面奥側板材３３、左側面奥側板材４３、底面奥側板材５３、上面右側扉側板材２５、上面左側扉側板材２９、右側面扉側板材３４、左側面扉側板材４４および底面扉側板材５４にはそれぞれ穴が設けられている。奥面アングル部材６１に設けられた穴は箱わな１の組み立て状態において上面右側奥側板材２４、上面左側奥側板材２８、右側面奥側板材３３、左側面奥側板材４３および底面奥側板材５３に設けられた穴と互いに重なり合うように構成されている。扉面アングル部材７１に設けられた穴は箱わな１の組み立て状態において上面右側扉側板材２５、上面左側扉側板材２９、右側面扉側板材３４、左側面扉側板材４４および底面扉側板材５４に設けられた穴と互いに重なり合うように構成されている。
【００２３】  （曲げ部を用いた接続）
以下、曲げ部を用いた接続方法について説明する。図６は、右側面部３と上面右側部２０を接続する方法を説明する図である。図６は右側面部３と上面右側部２０の接続部を扉面部７側から見た図であり、金属棒以外の構成は省略してある。まず、図６（ａ）に示す矢印のように右側面部３を上面右側部２０に組み合わせる。次に、図６（ｂ）に示すように、上面右側部２０を構成する部材であって上面右側曲げ部２２に隣接する金属棒８１に右側面上側曲げ部３１を掛けた状態で、右側面部３を、金属棒８１を中心として反時計回りに回転させる。すると、図６（ｃ）に示すように、右側面部３を構成する部材であって右側面上側曲げ部３１に隣接する金属棒８２が上面右側曲げ部２２と接触し、それ以上右側面部３を反時計回りに回転させることができない状態になる。
【００２４】  以下、曲げ部を用いた接続方法について更に説明する。本願において、互いに接続される２つの面部が成す辺を「２つの面部の辺」と呼ぶ。図６（ａ）、（ｂ）の状態では、互いに接続される２つの面部である右側面部３と上面右側部２０の辺に平行な軸周りの、それら２つの面部の相対回転、または、その辺に垂直な方向の、それら２つの面部の少なくとも１自由度の相対移動が制限されていない。その状態から、それら２つの面部の辺に平行な軸周りにそれら２つの面部を相対回転させる。すると、右側面部３と上面右側部２０の辺に平行な軸周りの、それら２つの面部の一方向（図６（ｂ）の矢印方向）への相対回転、および、その辺に垂直な方向の、それら２つの面部の２自由度の相対移動が制限される状態となる。
【００２５】  このように、接続される２つの面部の辺に平行な軸周りの、それら２つの面部の少なくとも一方向への相対回転、および、その辺に垂直な方向の、それら２つの面部の２自由度の相対移動が制限される状態を、本願において「ロック状態」と呼ぶ。また、本願において「制限」には、箱わな１の組み立てが不可能にならない程度のずれや隙間が存在する場合と存在しない場合の両方を含む。
【００２６】  ロック状態においては、それら２つの面部の他方向（図６（ｂ）の矢印方向の反対方向）への相対回転を作業者が手で支えることにより、それら２つの面部の辺に平行な軸周りの、それら２つの面部の相対回転、および、その辺に垂直な方向の、それら２つの面部の２自由度の相対移動を制限することができる。このように、互いに接続される２つの面部をロック状態にできると、作業者が箱わな１を組み立てることが容易になる。また、箱わなの組み立て状態においては、箱わなを構成する各面部が互いに支え合うことによって、接続される２つの面部の他方向への相対回転が支えられることになる。ロック状態において、図６における紙面と垂直な方向におけるそれら２つの面部の相対移動は必ずしも制限されないが、この相対移動は後述する板材を用いた接続によって制限される。
【００２７】  ロック状態を実現するためには、箱わなの組み立てが不可能にならない程度のずれや隙間を許容しつつ、互いに接続される２つの面部を幾何学的に互いに拘束すればよい。本願において幾何学的拘束とは、溶接やボルトナット等による締結力ではなく部材間の接触反力のみによって、互いに接続される２つの面部の相対回転や相対移動を制限することをいう。ここで、互いに接続される２つの面部は、少なくとも１部が幾何学的に互いに拘束していればよく、幾何学的拘束とボルトナット等による締結が併用されてもよい。例えば、互いに接続される２つの面部を、主に幾何学的に拘束しつつ、補助的にボルトナットを用いて接続してもよい。
【００２８】  図７（ａ）は、図６（ｃ）のＡ部拡大図である。図７（ａ）のＡ乃至Ｄは各部位の寸法を表している。Ａは、金属棒８１に右側面上側曲げ部３１を掛けるための余裕代である。Ｂは金属棒８１の直径である。Ｃは右側面上側曲げ部３１を構成する金属棒の直径である。Ｄは金属棒８２の直径である。箱わな１を構成する金属棒が全て同じ直径である場合、Ｂ乃至Ｄは等しくなる。図７（ａ）では、上面右側曲げ部２２と金属棒８１との間隔がＣ＋Ｄとなるように、金属棒８１が上面右側部２０に固定されている。別の言い方をすれば、金属棒８１との間隔がＣ＋Ｄとなるように、上面右側曲げ部２２が形成される。このようにすると、ロック状態では右側面部３と上面右側部２０の交わる角度が９０度となる。
【００２９】  図７（ｂ）、（ｃ）はロック状態を説明するための図である。図７（ｂ）のｘ軸とｙ軸は２次元の座標軸である。矢印７０１乃至７０４は、右側面部３と上面右側部２０の全ての接点８５乃至８８について、右側面部３から上面右側部２０が受ける接触反力のｘ軸成分とｙ軸成分である。
【００３０】  図７（ｂ）のｘ軸成分である矢印７０２と矢印７０４は互いに逆向きである。このことは、このロック状態において、右側面部３と上面右側部２０のｘ軸方向の相対移動が制限されていることを示している。
【００３１】  図７（ｂ）のｙ軸成分である矢印７０１と矢印７０３は互いに逆向きである。このことは、このロック状態において、右側面部３と上面右側部２０のｙ軸方向の相対移動が制限されていることを示している。
【００３２】  このように、接続される２つの面部のうちの一方の面部から他方の面部が受ける接触反力の、任意に設定した２次元の各座標軸成分に、正と負の両方が存在すれば、それら２つの面部の相対移動が制限されることになる。
【００３３】  図７（ｃ）に示すように、右側面部３と上面右側部２０の接点８７から、他の接点８５、８６、８８に向かう直線である補助線を考える。すると、矢印７０１および矢印７０２は補助線の左下側に存在する、すなわち、接点８７から見て反時計方向である。一方、矢印７０３は補助線の右上側に存在する、すなわち、接点８７から見て時計方向である。
【００３４】  このように、接続される２つの面部のうちの一方の面部から他方の面部が受ける接触反力を、任意の接点から見たときに、時計方向であるものと反時計方向であるものの両方が存在すれば、それら２つの面部の相対回転が制限されることになる。
【００３５】  このようにして、右側面部３と上面右側部２０の辺に平行な軸周りのこれら２つの面部の相対回転、および、前記辺に垂直な方向のこれら２つの面部の２自由度の相対移動が制限されるロック状態となる。ロック状態と実現するためには、少なくとも３つの接点が必要となる（接点が３つである実施形態については図２０参照）。
【００３６】  上面左側部２１と左側面部４、右側面部３と底面部５、左側面部４と底面部５も、上記の右側面部３と上面右側部２０を接続する方法と同様に接続する。
【００３７】  （板材を用いた接続）
以下、板材を用いた接続方法について説明する。上面右側板材２３と上面左側板材２７を用いて上面右側部２０と上面左側部２１を接続する方法について、図８と図９を用いて説明する。図８は上面右側部２０と上面左側部２１を扉面部７側から見た図であり、図９は上面右側部２０と上面左側部２１を箱わな１の上方向から見た図である。図８（ａ）と図９（ａ）は上面右側部２０と上面左側部２１が接続されていない状態を示す図である。
【００３８】  板材を用いて２つの面部を互いに接続するためには、まず、図８（ｂ）と図９（ｂ）に示すように、上面右側板材２３と上面左側板材２７を重ねる。次に、図８（ｃ）と図９（ｃ）に示すように、上面右側板材２３と上面左側板材２７にそれぞれ設けられた、箱わな１の組み立て状態において互いに重なり合う穴にボルト８３を通してナット８４で固定する。このようにして上面右側板材２３と上面左側板材２７が互いに接続される。
【００３９】  図８（ｄ）は上面右側板材２３と上面左側板材２７の代わりに上面右側アングル部材１２３と上面左側アングル部材１２７を用いて上面右側部２０と上面左側部２１を接続する他の実施形態を示す図である。この構成によると、上面右側アングル部材１２３と上面左側アングル部材１２７にボルト８３を通すだけで、すなわちナット８４を取り付ける前に、上面右側部２０と上面左側部２１が崩落するのを防ぎ、形態を維持することができる。ボルト８３とナット８４による接続が容易になる。ボルト８３またはナット８４を、上面右側板材２３または上面左側板材２７、あるいは、上面右側アングル部材１２３または上面左側アングル部材１２７に溶接で固定してもよい。また、上面右側板材２３または上面左側板材２７、あるいは、上面右側アングル部材１２３または上面左側アングル部材１２７にネジを切ってもよい。このようにすることでボルト８３とナット８４による接続が容易になる。また、部品を紛失する可能性が低くなる。
【００４０】  同様に、奥面アングル部材６１と、上面右側奥側板材２４、上面左側奥側板材２８、右側面奥側板材３３、左側面奥側板材４３および底面奥側板材５３も、互いに重なり合った穴にボルトを通してナットで固定することにより互いに接続される。
【００４１】  同様に、扉面アングル部材７１と、上面右側扉側板材２５、上面左側扉側板材２９、右側面扉側板材３４、左側面扉側板材４４および底面扉側板材５４も、互いに重なり合った穴にボルトを通してナットで固定することにより、互いに接続される。
【００４２】  （箱わなの組み立て手順）
本実施形態における箱わなの組み立て手順について説明する。図１０と図１１は、右側面部３、左側面部４、底面部５、上面右側部２０および上面左側部２１の組み立て手順を示す図であり、箱わなを扉面部７側から見た図である。箱わな１を組み立てるために、まず図１０（ａ）に示すように、底面部５と、右側面部３および左側面部４を組み合わせて、右側面部３と左側面部４を図中の矢印方向に回転させる。
【００４３】  すると図１０（ｂ）に示すように、底面部５と、右側面部３および左側面部４がロック状態になる。その状態で、右側面部３と左側面部４にそれぞれ上面右側部２０と上面左側部２１を組み合わせて、上面右側部２０と上面左側部２１を図中の矢印方向に回転させる。すると図１１（ａ）に示すように、右側面部３と上面右側部２０、左側面部４と上面左側部２１がそれぞれロック状態になるとともに上面右側板材２３と上面左側板材２７にそれぞれ設けられた穴が互いに重なり合う。そこで、図１１（ｂ）に示すように、上面右側板材２３と上面左側板材２７をボルト８３とナット８４により互いに接続する。
【００４４】  曲げ部を用いて互いに接続された右側面部３、左側面部４、底面部５、上面右側部２０および上面左側部２１に、図１２（ａ）に示すように奥面部６および扉面部７を、板材を用いて接続することで箱わなの外形部分が完成する。図１２（ｂ）は図１２（ａ）の矢視Ａの拡大図であり、扉面部７のレール部７３のアングル部材７２に落下扉７６を取り付けた状態を示す図である。落下扉７６はアングル部材７２に沿って落下可能に取り付けられる。落下扉７６は、待機時には公知のトリガー機構（図示せず）によってアングル部材７２上部に保持される。このトリガー機構は動物が箱わなの中に入ったことを検知すると落下扉の保持状態を解除して落下扉を落下させるように構成されている。
【００４５】  以上説明したように、本実施形態によると比較的少ない労力で箱わなを組み立ておよび分解することができる。また、曲げ部を用いた接続部では接続用の専用部品を使用しないので部品を紛失する可能性が低い。更に、仮に１本の金属棒では強度が不足する場合でも、複数の金属棒で曲げ部を構成することにより十分な強度を得ることができる。
【００４６】  （他の実施形態）
以下、本発明の他の実施形態について説明する。なお、以下に述べる実施形態では、上記実施形態と同一部分または相当する部分については、符号を共通して使用するとともに新たな図示や説明を省略し、上記実施形態と異なる点についてのみ説明することにする。図１３（ａ）に示すように、上面右側曲げ部２２や右側面上側曲げ部３１は金属棒８１や金属棒８２と曲線で接するようにしてもよい。この場合には接触線を多数の接触点の集合と考えることができる。上面右側曲げ部２２や右側面上側曲げ部３１は金属棒８１や金属棒８２と面で接触するようにしてもよい。この場合には接触面を多数の接触点の集合と考えることができる。更に、図１３（ｂ）に示すように、金属棒８１や金属棒８２の断面は円形でなくてもよい。
【００４７】  図１４（ａ）、（ｂ）に示すように、上面右側曲げ部２２や右側面上側曲げ部３１は、９０度以外の角度で曲げられていてもよい。もちろん、９０度で曲げられていてもよい。要するに、接続される２つの面部が互いに幾何学的に拘束されるために十分な接点、接触線または接触面が得られればよい。
【００４８】  図１５（ａ）は図７に対応する図であり、図１５（ｂ）は、ある実施形態における図１５（ａ）の矢視Ａであり、図１５（ｃ）は、別の実施形態における図１５（ａ）の矢視Ａである。図１５（ｂ）に示すように、上面右側曲げ部２２や右側面上側曲げ部３１は、右側面部３と上面右側部２０の辺に垂直な方向に曲げられてもよいし、図１５（ｃ）に示すように、右側面部３と上面右側部２０の辺に垂直でない方向に曲げられてもよい。要するに、扉面部７側から見た断面において、接続される２つの面部が互いに幾何学的に拘束されるために十分な接点、接触線または接触面が得られればよい。
【００４９】  図１６（ａ）は図７に対応する図であり、ＢとＣの間にＥの隙間が存在する点が図７と異なる。このようにすると、図１６（ｂ）に示すように、右側面部３と上面右側部２０の交わる角度が９０度より大きい状態でロック状態となる。図１０と図１１では、右側面部３と上面右側部２０の交わる角度が９０度でロック状態となることを考慮して、右側面部３と上面右側部２０の交わる角度が０度から９０度の範囲で組み立てが行えるように、各面部を、組み立て状態における箱わなの内側から外側に回転させて組み立てる方法を示した。これに対して、右側面部３と上面右側部２０の交わる角度を９０度より大きくできれば、各面部を、組み立て状態における箱わなの外側から内側に回転させて組み立てることが可能になる（図示しない）。また、図１６（ｃ）に示すように右側面部３と上面右側部２０を曲げて箱わな１を構成することもできる。
【００５０】  図１７乃至図２３は、右側面部３と上面右側部２０をロック状態にするための様々な実施形態を示す図である。図１７に示す実施形態では、接点８５乃至８８によって、接続される２つの面部が互いに幾何学的に拘束される。
【００５１】  図１８に示す実施形態では、接点８５乃至８７の他、金属棒８１と金属棒８２の接触線によって、接続される２つの面部が互いに幾何学的に拘束される。このように、接続される２つの面部は、全体として互いに幾何学的に拘束されればよい。この実施形態によると、接続部の出っ張りを少なくすることができる。
【００５２】  図１９に示す実施形態では、上面右側部２０が曲げ部を有しない。このような場合でも、右側面上側曲げ部３１の形状を工夫することで、接点８５乃至８８によって、接続される２つの面部が互いに幾何学的に拘束される。この実施形態によると、部材を曲げるための労力を軽減することができる。
【００５３】  図２０に示す実施形態では、右側面上側曲げ部３１の形状の工夫により、３つの接点８６乃至８８によって、接続される２つの面部が互いに幾何学的に拘束される。
【００５４】  図２１に示す実施形態では、上面右側部２０の端部に金属棒８１と金属棒８９が固定され、これらの金属棒と右側面上側曲げ部３１の３つの接点と、金属棒８２と上面右側部２０との接点によって、接続される２つの面部が互いに幾何学的に拘束される。
【００５５】  図２２は、右側面部３と上面右側部２０を扉面部７側から見た図であり、図２３は、右側面部３と上面右側部２０を箱わな１の上方向から見た図である。図２２および２３に示す実施形態では、接点８５乃至８８によって、接続される２つの面部が互いに幾何学的に拘束される。
【００５６】  以上の説明では、互いに接続される２つの面部が、１箇所でロック状態になる実施形態を取り上げたがこれに限らない。例えば、図２４に示す、Ａ部乃至Ｄ部の４箇所全体として、接続される２つの面部が互いに幾何学的に拘束されるようにとしてもよい。図２４では金属棒の太さを無視している。図２５（ａ）乃至（ｄ）は、図２４のＡ部乃至Ｄ部それぞれを、扉面部７側から見た断面図である。図２５（ａ）乃至（ｄ）の接点８５乃至８８それぞれ単独では、接続される２つの面部が互いに幾何学的に拘束されるために不十分であるが、これらの接点を全体として考えると、接続される２つの面部が互いに幾何学的に拘束されるために十分である。要するに、接続される２つの面部が互いに幾何学的に拘束されるために十分な接点、接触線または接触面が、接続される２つの面部全体として得られればよい。
【００５７】  図２６は、上面部２と左側面部４、右側面部３と底面部５をそれぞれヒンジ９０で回転可能に接続した実施形態を示す図である。ヒンジ９０で接続されていない側の端部を曲げ部とすることにより、図２６（ｂ）、（ｃ）に示すように各面部をヒンジまたは曲げ部で接続することが可能になる。このように、各面部は曲げ部を用いた方法や板材を用いた方法以外の様々な方法により互いに接続され得る。また、各面部の接続部毎に様々な方法によって接続されてもよい。例えば、各面部の一端が曲げ部を用いた方法によって接続され、各面部の他端が曲げ部を用いた方法以外の方法によって接続されてもよい。
【００５８】  以上の説明では、各面部は金属製の金網からなるとしたが、必要な強度さえ確保できるのであれば、繊維強化プラスチック等、他の材料を採用することができる。板材の材質も任意のものを採用することができる。また、各面部の一部または全部が板等の金網以外の部材で構成されていてもよい。
【００５９】  面部の端部に存在する金属棒の内、一部のみを曲げ部としてもよいし、全部を曲げ部としてもよい。
【００６０】  曲げ部は必ずしも金属棒によって形成される必要はなく、板材等、任意の部材によって形成され得る。
【００６１】  曲げ部は必ずしも金属棒等を曲げることによって形成される必要はなく、２つの部材を、互いに角度を付けて溶接等により接合すること等によって形成されてもよい。奥面部６は奥面アングル部材６１からなるとしたが、奥面部６を金網によって構成し、奥面部６と他の各面部とを曲げ部を用いて接続してもよい。
【００６２】  各面部の構造や材質は、必要とされる強度に応じて互いに異なってもよい。例えば、特に高い強度が必要とされる、箱わなの側面（右側面部３と左側面部４）には、直径６ｍｍの金属棒が１００ｍｍピッチで固定されている金網を使用し、側面ほどは高い強度が必要とされない上下面（上面部２と底面部５）には、直径５．５ｍｍの金属棒が１５０ｍｍピッチで固定されている金網を使用してもよい。すなわち、箱わな１の側面（右側面部３、左側面部４、奥面部６）の強度を上下面（上面部２や底面部５）の強度よりも高くしてもよい。
【００６３】  板材は、接続される２つの面部の辺の全長にわたって存在する必要は必ずしもなく、穴を設ける箇所毎に小さい板材を複数設けてもよい。
【００６４】  箱わな１が扉面部７を１つのみならず、複数有してもよい。例えば、奥面部６の変わりに扉面部７を設けて両方向から動物が箱わな１に進入可能としてもよい。
【００６５】  以上の説明では曲げ部を用いた方法以外の方法によって接続するとした接続部の１つまたは複数を、曲げ部を用いた方法で接続してもよい。逆に、以上の説明では曲げ部を用いた方法で接続するとした接続部の１つまたは複数を、曲げ部を用いた方法以外の方法によって接続してもよい。
【００６６】  本願において、「端部」とは、面部の中心以外の部分であって、その端部に形成された曲げ部を用いて２つの面部が接続されることにより、動物捕獲用の閉空間を形成することができる全ての部分を意味する。曲げ部が形成される端部は、面部の中心から離れていれば離れている程、動物捕獲用の閉空間を大きくすることができる。
【符号の説明】
【００６７】１  箱わな
２  上面部
３  右側面部
４  左側面部
５  底面部
６  奥面部
７  扉面部
２０  上面右側部
２１  上面左側部
２２  上面右側曲げ部
２６  上面左側曲げ部
３１  右側面上側曲げ部
３２  右側面下側曲げ部
４１  左側面上側曲げ部
４２  左側面下側曲げ部
５１  底面左側曲げ部
５２  底面右側曲げ部
【要約】      （修正有）【課題】少ない労力で組み立ておよび分解することができ、部品を紛失する可能性が低く、十分な強度を有する、箱わなの各面部の接続方法およびその接続方法を用いた動物捕獲用箱わなを提供する。【解決手段】動物捕獲用の閉空間を形成する複数の面部２、３、４、５のうち、少なくとも１つの複数の面部の端部には曲げ部２２、２６、３１、３２、４１、４２、５１、５２が形成され、曲げ部が形成された面部と他の１つの面部とが、曲げ部を用いて互いに接続される。【選択図】図１【図１】
0005945663.tif 000002
【図２】
0005945663.tif 000003
【図３】
0005945663.tif 000004
【図４】
0005945663.tif 000005
【図５】
0005945663.tif 000006
【図６】
0005945663.tif 000007
【図７】
0005945663.tif 000008
【図８】
0005945663.tif 000009
【図９】
0005945663.tif 000010
【図１０】
0005945663.tif 000011
【図１１】
0005945663.tif 000012
【図１２】
0005945663.tif 000013
【図１３】
0005945663.tif 000014
【図１４】
0005945663.tif 000015
【図１５】
0005945663.tif 000016
【図１６】
0005945663.tif 000017
【図１７】
0005945663.tif 000018
【図１８】
0005945663.tif 000019
【図１９】
0005945663.tif 000020
【図２０】
0005945663.tif 000021
【図２１】
0005945663.tif 000022
【図２２】
0005945663.tif 000023
【図２３】
0005945663.tif 000024
【図２４】
0005945663.tif 000025
【図２５】
0005945663.tif 000026
【図２６】
0005945663.tif 000027
【図２７】
0005945663.tif 000028